(57)【要約】【課題】  蓄電池等の重量のある電気機器であっても、多数の電気機器を無理なく収納できる電気機器収納用キャビネットを提供する。【解決手段】  ４隅に支柱５が立設され、支柱５間に電気機器を収納するための棚板６を上下方向に複数掛け渡して成り、個々の支柱５には同一の高さに棚板６を保持するための複数のコ字状切り欠き１１，１２が設けられ、切り欠き１１，１２は左右の支柱５の間で対向形成される共に、棚板６は左右に配置した支柱５の間隔に対して切り欠き１１，１２の深さに合わせた所定量大きな幅を有している。【選択図】  図７
2018067636.tif 000002
【特許請求の範囲】
【請求項１】
４隅に立設された支柱の間に電気機器を収納するための棚板を上下方向に複数掛け渡した電気機器収納用キャビネットであって、
各前記支柱には、同一の高さに前記棚板を保持するための複数の凹部が設けられ、
前記凹部は左右の支柱の間で対向形成されると共に、前記棚板は左右に配置した前記支柱の間隔に対して前記凹部の深さに合わせた所定量大きな幅を有することを特徴とする電気機器収納用キャビネット。
【請求項２】
前記凹部は、前記棚板の平坦な底部を支持する支持片を有するコ字状の切り欠きであることを特徴とする請求項１記載の電気機器収納用キャビネット。
【請求項３】
前記支柱が、キャビネットの側面を閉塞する側板の裏面に溶接されたフレーム枠であることを特徴とする請求項１又は２記載の電気機器収納用キャビネット。
【発明の詳細な説明】
【技術分野】
【０００１】
本発明は電気機器収納用キャビネットに関し、特に蓄電池等の重量のある電気機器であっても無理なく収納できる電気機器収納用キャビネットに関する。
【背景技術】
【０００２】
停電時に使用する非常用電源として、或いは太陽光発電等の自家発電電力の蓄電手段として蓄電池設備の普及が進んでいる。このような蓄電池設備として、自動車用の蓄電池を多数連結して構成したものがある。この場合、蓄電池設備を構成する多数の蓄電池は、例えば特許文献１に開示されているようなキャビネットに収納された。このようなキャビネットでは、左右に立設された支柱の間にレールを介して複数の棚板が配置され、この棚板に蓄電池が載置されて収納された。
【先行技術文献】
【特許文献】
【０００３】
【特許文献１】特開２００３−２３２７８号公報
【発明の概要】
【発明が解決しようとする課題】
【０００４】
特許文献１に記載されているような従来のキャビネットは、蓄電池のような重量物を収納することを想定していなかったため、多数の蓄電池を収納すると棚板を支持しているレールと支柱との係合部に過大な負荷が加わり、レールの変形や支柱の係合孔が変形する場合があった。
そのため、１つの棚に収納する蓄電池の数が制限され、蓄電池の数に対して必要以上の収納スペースが必要であった。
【０００５】
そこで、本発明はこのような問題点に鑑み、蓄電池のような重量のある電気機器であっても、多数の電気機器を無理なく収納できる電気機器収納用キャビネットを提供することを目的としている。
【課題を解決するための手段】
【０００６】
上記課題を解決する為に、請求項１の発明は、４隅に立設された支柱の間に電気機器を収納するための棚板を上下方向に複数掛け渡した電気機器収納用キャビネットであって、各支柱には、同一の高さに棚板を保持するための複数の凹部が設けられ、凹部は左右の支柱の間で対向形成されると共に、棚板は左右に配置した支柱の間隔に対して凹部の深さに合わせた所定量大きな幅を有することを特徴とする。
この構成によれば、棚板の幅は支柱の間隔より大きいため、支柱に形成された凹部に確実に嵌合して左右双方が保持されるので、別途レール等の係合部材を介すること無く取り付けできる。よって、係合部材の変形等で保持力が低下するような問題の発生を無くし、重量のある電気機器であっても重量制限の必要が無く、無理のない収納が可能となる。
【０００７】
請求項２の発明は、請求項１に記載の構成において、凹部は、棚板の平坦な底部を支持する支持片を有するコ字状の切り欠きであることを特徴とする。
この構成によれば、棚板の平坦な底部が支柱に保持されるので、確実に且つ安定した状態で棚板を保持できる。
【０００８】
請求項３の発明は、請求項１又は２に記載の構成において、支柱が、キャビネットの側面を閉塞する側板の裏面に溶接されたフレーム枠であることを特徴とする。
この構成によれば、支柱は側板と一体に形成されるため、従来より使用されている一側面が開放されている形状であっても支柱の強度を上げることができ、支柱に切り欠きを設けても重量物の収納が可能となる。
【発明の効果】
【０００９】
本発明によれば、棚板の幅は支柱の間隔より大きいため、支柱に形成された凹部に確実に嵌合して左右双方が保持されるので、別途レール等の係合部材を介すること無く取り付けできる。よって、係合部材の変形等で保持力が低下するような問題の発生を無くし、重量のある電気機器であっても重量制限の必要が無く、無理のない収納が可能となる。
【図面の簡単な説明】
【００１０】
【図１】本発明に係る電気機器収納用キャビネットの一例を示す正面図である。
【図２】図１のＡ−Ａ線断面説明図である。
【図３】図１のＢ−Ｂ線断面説明図である。
【図４】前側支柱を示し、（ａ）は正面図、（ｂ）は側面図、（ｃ）は平面図である。
【図５】後側支柱を示し、（ａ）は正面図、（ｂ）は側面図、（ｃ）は平面図、（ｄ）は背面図である。
【図６】棚板を示し、（ａ）は正面図、（ｂ）は右側面図、（ｃ）は平面図である。
【図７】前面扉を外した電気機器収納用キャビネットの正面説明図である。
【図８】背面扉を外した電気機器収納用キャビネットの背面説明図である。
【図９】図７のＣ部拡大図である。
【発明を実施するための形態】
【００１１】
以下、本発明を具体化した実施の形態を、図面を参照して詳細に説明する。図１〜３は本発明に係る電気機器収納用キャビネット（以下、単に「キャビネット」と称する）の一例を示し、図１は正面図、図２はＡ−Ａ線断面図、図３はＢ−Ｂ線断面図である。キャビネット１は、図３に示すように左右に側板２（２ａ，２ｂ）を有し、前面には前面扉３、背面には背面扉４が設けられ、天面には天板８、底部には底板９が設けられて、内部が密閉されるよう構成されている。また、４隅には支柱５（第１支柱５ａ〜第４支柱５ｄ）が立設され、棚板６がこの４本の支柱５に形成された後述する切り欠き１１に係止して収容されている。
【００１２】
但し、左側の２本の支柱５（第１支柱５ａ，第３支柱５ｃ）は、左側板２ａの裏面に溶接して固着されたフレーム枠であり、右側２本の支柱５（第２支柱５ｂ、第４支柱５ｄ）も、右側板２ｂの裏面に溶接して固着されたフレーム枠であり、各支柱５は側板２と一体に形成されている。
尚、７は蓄電池であり、各棚板６に電気機器の１つである蓄電池７を載置した状態を示している。また、図３に示す端子１０は、底板９の後端に設けられたアース端子である。       
【００１３】
図４，５は支柱５の説明図であり、図４は左側前方に配置された第１支柱５ａ、図５は左側後方に配置された第３支柱５ｃを示している。図４、５において（ａ）は正面図、（ｂ）は側面図、（ｃ）は平面図であり、図５（ｄ）は背面図である。
支柱５は何れもコ字状の横断面を有する凸状部５１を中央に有し、その凸状部５１がキャビネット１の内部方向に向けられて配置されている。また、凸状部５１の前後端部には前後に開いた密着片５２が形成され、この密着片５２が側板２に溶接される。
【００１４】
そして第１支柱５ａの凸状部５１には、図４に示すように棚板６を保持するためのコ字状に切り欠いた切り欠き１１（凹部）が一定間隔で形成され、キャビネット１の前後方向に貫通形成されている。加えて、この切り欠き１１の下辺が棚板６の底部を支持する支持片１１ａを構成している。
また、キャビネット１の前面側となる第１支柱５ａの凸状部５１の前面側側部５３ａには、切り欠き１１の直下位置に、保持した棚板６をネジ止めして固定するためのネジ挿通孔２０が設けられている。尚、キャビネット１の右側前方に配置されている第２支柱５ｂは、第１支柱５ａと対称に形成されているため説明を省略する。
【００１５】
キャビネット１の左側後方に配置された第３支柱５ｃも同様に、凸状部５１に棚板６を保持するためのコ字状に切り欠いた切り欠き１２（凹部）が一定間隔で形成されている。そして、この切り欠き１２の下辺が棚板６の底部を支持する支持片１２ａを構成している。
但し、図５（ｄ）に示すように切り欠き１２は貫通形成されず、キャビネット１の背面側となる第３支柱５ｃの背面側側部５３ｄには切り欠きは無い。この背面側側部５３ｄには、挿入された棚板６の背部を支柱５に固定するためのネジ挿通孔２１が設けられている。尚、左側後方の第４支柱５ｄは、第３支柱５ｃと対称に形成されているため説明を省略する。
そして、これら各支柱５に形成された複数の切り欠き１１，１２は、各位置において同一の高さで形成されている。
【００１６】
図６は棚板６を示し、（ａ）は正面図、（ｂ）は右側面図、（ｃ）は平面図である。棚板は図６に示すように、平坦な載置面６ａの左右端部に上方に折り曲げ形成した側面板６ｂが前後に亘り形成されている。尚、支柱５に形成された切り欠き１１、１２はこの側面板６ｂを設けた棚板６の側部形状に合わせて形成されている。
また、載置面６ａの前端には下方に垂下形成して棚板６を補強する垂下片６ｃが左右に亘り形成されている。この垂下片６ｃの左右端部は、支柱５に当接する当接片１３（図９に示す）を成し、ネジ止め固定するためのネジ挿通孔２４が穿設されている。
【００１７】
一方、載置面６ａの後端には、上方に起立形成して棚板を補強する起立片６ｄが左右に亘り形成され、収容した蓄電池７の落下を防止する柵を兼ねている。また、棚板６は、キャビネット１に組み付けた状態で、棚板６の背部の左右端部が、第３支柱５ｃ及び第４支柱５ｄの背面側側部５３ｄに当接するよう構成されており、起立片６ｄの左右端部には、当接した支柱５にネジ止めするためのネジ挿通孔２５が設けられている。
また、載置面６ａの背面には、補強フレーム６ｅが溶接されている。
【００１８】
このように形成された棚板６は、上述したように左右に配置された支柱５の間隔より、所定量大きな幅で形成され、左右端部が支柱５に形成された切り欠き１１に係合して収容状態が保持される。一例として、図３に示す左右の支柱５の間の距離Ｗ１＝５７０ｍｍ、棚板６の幅Ｗ２＝６０５ｍｍ、切り欠きの深さＤ１＝２０ｍｍ（後述する図９に示す）で作製されている。
【００１９】
上記の如く構成された棚板６の組み付け、その後の固定は以下の様に成される。図７は前面扉３を外して内部を露出させた正面説明図、図８は背面扉４を外して内部を露出させた背面説明図、図９は図７のＣ部拡大図であり、この図７〜９を参照して説明する。
棚板６はキャビネット１の前方から挿入し、支柱５の切り欠き１１に左右を係合させて内部へスライドして挿入する。この挿入操作により、やがて棚板６の背部がキャビネット１の後部の第３支柱５ｃ及び第４支柱５ｄの切り欠き１２に係合する。
その後、垂下片６ｃが第１支柱５ａ及び第２支柱５ｂに当接すると同時に、棚板６の背部の起立片６ｄが第３支柱５ｃ及び第４支柱５ｄに当接して挿入は完了し、組み付け位置に配置される。
【００２０】
組み付け位置に配置された棚板６は、前面側及び背面側がそれぞれネジ（図示せず）止めされて固定され、蓄電池７が収納される。
蓄電池７の収納が完了したら、飛び出しを防止する柵板１４，１５が左右の支柱５間に掛け渡され、ネジ止めされる。
具体的に、図７に示すように前面側の第１支柱５ａ、第２支柱５ｂ間には柵板１４が掛け渡され、その左右端部が第１支柱５ａ及び第２支柱５ｂに形成されたネジ挿通孔２２（図４に示す）にネジとナットにより固定される。また図８に示すように、背面側の第３支柱５ｃ、第４支柱５ｄには柵板１５が掛け渡され、その左右端部が第３支柱５ｃ及び第４支柱５ｄに形成されたネジ挿通孔２３（図５に示す）にネジとナットにより固定される。
【００２１】
このように、棚板６の幅は支柱５の間隔より大きいため、棚板６は支柱５に形成されたコ字状の切り欠き１１，１２に確実に嵌合して左右双方が保持されるので、別途レール等の係合部材を介すること無く取り付けできる。よって、係合部材の変形等で保持力が低下するような問題の発生を無くし、重量のある電気機器であっても重量制限の必要が無く、無理のない収納が可能となる。
また、コ字状の切り欠き１１，１２により棚板６の平坦な底部が支柱５に保持されるので、確実に且つ安定した状態で棚板６を保持できる。
更に、支柱５は側板２と一体に形成されるため、従来より使用されている一側面が開放されている形状であっても支柱５の強度を上げることができ、切り欠き１１，１２を設けても重量物の収納が可能となる。
【００２２】
尚、上記実施形態では、複数の蓄電池７が収納される蓄電池設備を構成するキャビネット１について説明したが、重量のある電気機器の収納に好適であり、例えば複数の変圧器を良好に収納できる。
また、支柱５はコ字状に折り曲げ形成され、開口方向を側板２に溶接して４隅に配置しているが、支柱５は側板２と一体にせず、例えば断面四角形で形成して側板２とは独立して配置しても良い。
更に、支柱５は４隅に加えて、中間部にも配置して全６箇所で棚板６を支持しても良い。
また、支柱５は前側の切り欠き１１と後方の切り欠き１２とで形状が異なっているが、後方の切り欠きも前側の切り欠き１１と同様に前後方向に貫通形成した切り欠きとしても良い。
【符号の説明】
【００２３】
１・・電気機器収納用キャビネット、２・・側板、５・・支柱（フレーム枠）、６・・棚板、７・・蓄電池（電気機器）、１１・・切り欠き（凹部）、１１ａ・・支持片、１２・・切り欠き（凹部）、１２ａ・・支持片、１３・・当接片。
【図１】
2018067636.tif 000003
【図２】
2018067636.tif 000004
【図３】
2018067636.tif 000005
【図４】
2018067636.tif 000006
【図５】
2018067636.tif 000007
【図６】
2018067636.tif 000008
【図７】
2018067636.tif 000009
【図８】
2018067636.tif 000010
【図９】
2018067636.tif 000011